【手続補正書】
【提出日】平成20年7月23日(2008.7.23)
【手続補正１】
【補正対象書類名】明細書
【補正対象項目名】特許請求の範囲
【補正方法】変更
【補正の内容】
【特許請求の範囲】
【請求項１】  移動相と、少なくとも１種類の有機基が結合している炭素質材料を含む固定相とを有する、クロマトカラム。
【請求項２】  前記有機基が、前記炭素質材料上に直接結合している少なくとも１種類の芳香族基を含む、請求項１に記載のクロマトカラム。
【請求項３】  前記有機基が、前記炭素質材料上に直接結合している少なくとも１種類のアルキル基を含む、請求項１に記載のクロマトカラム。
【請求項４】  分離されるべき化学種を含む物質を、前記カラム中に更に有する、請求項１に記載のクロマトカラム。
【請求項５】  移動相と、少なくとも１種類の有機基が結合している炭素質材料を含む固定相とを有する、分離装置。
【請求項６】  物質を、移動相と固定相とを有する系に通す工程を含む、物質からの化学種の分離を行う方法であって、前記固定相が、少なくとも１種類の有機基が結合している炭素質材料を含む、物質からの化学種の分離を行う方法。
【請求項７】  正極と負極の間に配置された固定相と移動相を含み、前記電極の間に電流を流し、分離されるべき異なる化学種を含有する物質を導入する、電気泳動によって分離を行う方法であって、前記固定相が、少なくとも１種類の有機基が結合している炭素質材料を含む、電気泳動によって分離を行う方法。
【請求項８】  少なくとも１種類の有機基が結合している炭素質材料を含む膜を備えた膜分離系。
【請求項９】  固定相と、移動相と、正極及び負極とを含む電気泳動分離であって、前記固定相が、少なくとも１種類の有機基が結合している炭素質材料を含む、電気泳動分離。
【手続補正２】
【補正対象書類名】明細書
【補正対象項目名】０１３８
【補正方法】変更
【補正の内容】
【０１３８】
本明細書に開示された本発明の特定の態様及び実施の考察から、本発明の他の実施形態が当業者には明らかなはずである。この明細書及び実施例は単なる例として考慮されることを意図しており、本発明の真の範囲及び精神は特許請求の範囲及びその均等物によって示される。なお、本発明の実施形態としては、下記の実施形態を挙げることができる：
（実施形態１）移動相と、少なくとも１種類の有機基が結合している炭素質材料を含む固定相とを有する、クロマトカラム。
（実施形態２）前記有機基が、前記炭素質材料上に直接結合している少なくとも１種類の芳香族基を含む、実施形態１に記載のクロマトカラム。
（実施形態３）前記有機基が、前記炭素質材料上に直接結合している少なくとも１種類のアルキル基を含む、実施形態１に記載のクロマトカラム。
（実施形態４）分離されるべき化学種を含む物質を、前記カラム中に更に有する、実施形態１に記載のクロマトカラム。
（実施形態５）移動相と、少なくとも１種類の有機基が結合している炭素質材料を含む固定相とを有する、分離装置。
（実施形態６）物質を、移動相と固定相とを有する系に通す工程を含む、物質からの化学種の分離を行う方法であって、前記固定相が、少なくとも１種類の有機基が結合している炭素質材料を含む、物質からの化学種の分離を行う方法。
（実施形態７）前記分離が液体クロマトグラフィーである、実施形態６に記載の方法。
（実施形態８）前記分離がサイズ排除クロマトグラフィーである、実施形態６に記載の方法。
（実施形態９）前記分離が親和性によるクロマトグラフィーであり、且つ物質中の各化学種が、固定相に対して異なる親和性を有する、実施形態６に記載の方法。
（実施形態１０）前記分離が吸着−脱離クロマトグラフィーである、実施形態６に記載の方法。
（実施形態１１）前記分離が電気泳動又は電気クロマトグラフィーである、実施形態６に記載の方法。
（実施形態１２）正極と負極の間に配置された固定相と移動相を含み、前記電極の間に電流を流し、分離されるべき異なる化学種を含有する物質を導入する、電気泳動によって分離を行う方法であって、前記固定相が、少なくとも１種類の有機基が結合している炭素質材料を含む、電気泳動によって分離を行う方法。
（実施形態１３）少なくとも１種類の有機基が結合している炭素質材料を含む膜を備えた膜分離系。
（実施形態１４）前記系が逆浸透系である、実施形態１３に記載の膜分離系。
（実施形態１５）固定相と、移動相と、正極及び負極とを含む電気泳動分離であって、前記固定相が、少なくとも１種類の有機基が結合している炭素質材料を含む、電気泳動分離。
（実施形態１６）前記有機基が、イオン性又はイオン化可能な基を有するフェニル又はナフチル基である、実施形態５に記載の分離装置。
（実施形態１７）前記有機基が、アミノ酸又は誘導アミノ酸、シクロデキストリン、固定化タンパク質、ポリペプチド、あるいはその組合せを含む、実施形態５に記載の分離装置。
（実施形態１８）前記有機基が、−Ｃ６Ｆ５基、トリフルオロメチル−フェニル基、ビス−トリフルオロフェニル基、又はその組合せを含む、実施形態５に記載の分離装置。
（実施形態１９）前記有機基が−Ａｒ−（ＣｎＨ２ｎ＋１）ｘ基を含み、ここでｎが約１〜約３０の整数であり、またｘが約１〜約３の整数である、実施形態５に記載の分離装置。
（実施形態２０）前記有機基が、ラセミ混合物をそれらの光学的に純粋な成分に分離するための固定化タンパク質を含む、実施形態５に記載の分離装置。
（実施形態２１）前記有機基が、ポリエチレングリコール又はメトキシ末端ポリエチレングリコール、あるいはその誘導樹脂を含む、実施形態５に記載の分離装置。
（実施形態２２）前記有機基が−Ａｒ−（（ＣｎＨ２ｎ）ＣＯＯＸ）ｍを含み、ここでＡｒが芳香族基であり、ｎが０〜２０であり、ｍが１〜３であり、またＸがＨ、カチオン、又は有機基である、実施形態５に記載の分離装置。
（実施形態２３）前記有機基が−Ａｒ−（（ＣｎＨ２ｎ）ＯＨ）ｍを含み、ここでＡｒが芳香族基であり、ｎが０〜２０であり、ｍが１〜３である、実施形態５に記載の分離装置。
（実施形態２４）前記有機基が−Ａｒ−（（ＣｎＨ２ｎ）ＮＨ２）ｍ又はそのプロトン化された形の−Ａｒ−（（ＣｎＨ２ｎ）ＮＨ３Ｘ）ｍを含み、ここでｎが０〜２０であり、ｍが１〜３であり、Ｘがイオンであり、Ａｒが芳香族基である、実施形態５に記載の分離装置。
（実施形態２５）前記有機基が、−Ａｒ−（（ＣｎＨ２ｎ）ＣＨＮＨ３＋ＣＯＯ−）ｍ、及びこれと−ＮＨ２、−ＯＨ、又は−ＣＯＯＨで終わる官能基を有する分子との反応生成物を含み、ここでＡｒが芳香族基であり、またｎが０〜２０である、実施形態５に記載の分離装置。
（実施形態２６）前記有機基が−Ａｒ−（（ＣｎＨ２ｎ）ＣＨ＝ＣＨ２）ｍ又は−Ａｒ−（（ＣｎＨ２ｎ）ＳＯ２ＣＨ＝ＣＨ２）ｍであって、ここでｎが０〜２０であり、ｍが１〜３である、実施形態５に記載の分離装置。
（実施形態２７）前記有機基が少なくとも１種類のキラル配位子基を含む、実施形態５に記載の分離装置。
（実施形態２８）前記炭素質材料に第二の有機基が更に結合している、実施形態１６に記載の分離装置。
（実施形態２９）前記炭素質材料に第二の有機基が更に結合している、実施形態１７に記載の分離装置。
（実施形態３０）前記炭素質材料に第二の有機基が更に結合している、実施形態１８に記載の分離装置。
（実施形態３１）前記炭素質材料に第二の有機基が更に結合している、実施形態１９に記載の分離装置。
（実施形態３２）前記炭素質材料に第二の有機基が更に結合している、実施形態２０に記載の分離装置。
（実施形態３３）前記炭素質材料に第二の有機基が更に結合している、実施形態２１に記載の分離装置。
（実施形態３４）前記炭素質材料に第二の有機基が更に結合している、実施形態２２に記載の分離装置。
（実施形態３５）前記炭素質材料に第二の有機基が更に結合している、実施形態２３に記載の分離装置。
（実施形態３６）前記炭素質材料に第二の有機基が更に結合している、実施形態２４に記載の分離装置。
（実施形態３７）前記炭素質材料に第二の有機基が更に結合している、実施形態２５に記載の分離装置。
（実施形態３８）前記炭素質材料に第二の有機基が更に結合している、実施形態２６に記載の分離装置。
（実施形態３９）前記第二の有機基が、前記有機基よりも短い鎖長又は小さい立体障害を有する、実施形態２８に記載の分離装置。
（実施形態４０）前記第二の有機基が、前記有機基よりも短い鎖長又は小さい立体障害を有する、実施形態２９に記載の分離装置。
（実施形態４１）前記第二の有機基が、前記有機基よりも短い鎖長又は小さい立体障害を有する、実施形態３０に記載の分離装置。
（実施形態４２）前記第二の有機基が、前記有機基よりも短い鎖長又は小さい立体障害を有する、実施形態３１に記載の分離装置。
（実施形態４３）前記第二の有機基が、前記有機基よりも短い鎖長又は小さい立体障害を有する、実施形態３２に記載の分離装置。
（実施形態４４）前記第二の有機基が、前記有機基よりも短い鎖長又は小さい立体障害を有する、実施形態３３に記載の分離装置。
（実施形態４５）前記第二の有機基が、前記有機基よりも短い鎖長又は小さい立体障害を有する、実施形態３４に記載の分離装置。
（実施形態４６）前記第二の有機基が、前記有機基よりも短い鎖長又は小さい立体障害を有する、実施形態３５に記載の分離装置。
（実施形態４７）前記第二の有機基が、前記有機基よりも短い鎖長又は小さい立体障害を有する、実施形態３６に記載の分離装置。
（実施形態４８）前記第二の有機基が、前記有機基よりも短い鎖長又は小さい立体障害を有する、実施形態３７に記載の分離装置。
（実施形態４９）前記第二の有機基が、前記有機基よりも短い鎖長又は小さい立体障害を有する、実施形態３８に記載の分離装置。
（実施形態５０）ｎ＝１８であり、ｘ＝１である、実施形態１９に記載の分離装置。
（実施形態５１）ｎ＝８であり、ｘ＝１である、実施形態１９に記載の分離装置。
（実施形態５２）前記炭素質材料に第二の有機基が更に結合している、実施形態５０に記載の分離装置。
（実施形態５３）前記炭素質材料に第二の有機基が更に結合している、実施形態５１に記載の分離装置。
（実施形態５４）前記第二の有機基が−Ａｒ−Ｃ（ＣＨ３）３である、実施形態５２に記載の分離装置。
（実施形態５５）前記第二の有機基が−Ａｒ−Ｃ（ＣＨ３）３である、実施形態５３に記載の分離装置。
（実施形態５６）前記有機基が−Ａｒ−（（ＣｎＨ２ｎ）ＣＮ）ｍを含み、ここでＡｒが芳香族基であり、ｎが０〜２０であり、ｍが１〜３である、実施形態５に記載の分離装置。
（実施形態５７）前記有機基が−Ａｒ−（（ＣｎＨ２ｎ）Ｃ（Ｏ）Ｎ（Ｈ）−ＣｘＨ２ｘ＋１）ｍを含み、ここでＡｒが芳香族基であり、ｎが０〜２０であり、ｘが０〜２０であり、またｍが１〜３である、実施形態５に記載の分離装置。
（実施形態５８）前記有機基が−Ａｒ−（（ＣｎＨ２ｎ）Ｎ（Ｈ）Ｃ（Ｏ）−ＣｘＨ２ｘ＋１）ｍを含み、ここでＡｒが芳香族基であり、ｎが０〜２０であり、ｘが０〜２０であり、またｍが１〜３である、実施形態５に記載の分離装置。
（実施形態５９）前記有機基が−Ａｒ−（（ＣｎＨ２ｎ）Ｏ−Ｃ（Ｏ）−Ｎ（Ｈ）−ＣｘＨ２ｘ＋１）ｍを含み、ここでＡｒが芳香族基であり、ｎが０〜２０であり、ｘが０〜２０であり、またｍが１〜３である、実施形態５に記載の分離装置。
（実施形態６０）前記有機基が−Ａｒ−（（ＣｎＨ２ｎ）Ｃ（Ｏ）Ｎ（Ｈ）−Ｒ）ｍを含み、ここでＡｒが芳香族基であり、ｎが０〜２０であり、ｘが０〜２０であり、ｍが１〜３であり、またＲが有機基である、実施形態５に記載の分離装置。
（実施形態６１）前記有機基が−Ａｒ−（（ＣｎＨ２ｎ）Ｎ（Ｈ）Ｃ（Ｏ）−Ｒ）ｍを含み、ここでＡｒが芳香族基であり、ｎが０〜２０であり、ｘが０〜２０であり、ｍが１〜３であり、またＲが有機基である、実施形態５に記載の分離装置。
（実施形態６２）前記有機基が−Ａｒ−（（ＣｎＨ２ｎ）Ｏ−Ｃ（Ｏ）Ｎ（Ｈ）−Ｒ）ｍを含み、ここでＡｒが芳香族基であり、ｎが０〜２０であり、ｘが０〜２０であり、ｍが１〜３であり、またＲが有機基である、実施形態５に記載の分離装置。
（実施形態６３）前記炭素質材料に第二の有機基が更に結合している、実施形態５６に記載の分離装置。
（実施形態６４）前記炭素質材料に第二の有機基が更に結合している、実施形態５７に記載の分離装置。
（実施形態６５）前記炭素質材料に第二の有機基が更に結合している、実施形態５８に記載の分離装置。
（実施形態６６）前記炭素質材料に第二の有機基が更に結合している、実施形態５９に記載の分離装置。
（実施形態６７）前記炭素質材料に第二の有機基が更に結合している、実施形態６０に記載の分離装置。
（実施形態６８）前記炭素質材料に第二の有機基が更に結合している、実施形態６１に記載の分離装置。
（実施形態６９）前記炭素質材料に第二の有機基が更に結合している、実施形態６２に記載の分離装置。
（実施形態７０）前記第二の有機基が、前記有機基よりも短い鎖長又は小さい立体障害を有する、実施形態６３に記載の分離装置。
（実施形態７１）前記第二の有機基が、前記有機基よりも短い鎖長又は小さい立体障害を有する、実施形態６４に記載の分離装置。
（実施形態７２）前記第二の有機基が、前記有機基よりも短い鎖長又は小さい立体障害を有する、実施形態６５に記載の分離装置。
（実施形態７３）前記第二の有機基が、前記有機基よりも短い鎖長又は小さい立体障害を有する、実施形態６６に記載の分離装置。
（実施形態７４）前記第二の有機基が、前記有機基よりも短い鎖長又は小さい立体障害を有する、実施形態６７に記載の分離装置。
（実施形態７５）前記第二の有機基が、前記有機基よりも短い鎖長又は小さい立体障害を有する、実施形態６８に記載の分離装置。
（実施形態７６）前記第二の有機基が、前記有機基よりも短い鎖長又は小さい立体障害を有する、実施形態６９に記載の分離装置。
（実施形態７７）前記分離が超臨界流体クロマトグラフィーである、実施形態６に記載の方法。
（実施形態７８）前記有機基が、ラセミ混合物をそれらの光学的に純粋な成分に分離するための、任意選択の活性なアミノ酸又は誘導アミノ酸を含む、実施形態５に記載の分離装置。
（実施形態７９）前記有機基が、ラセミ混合物をそれらの光学的に純粋な成分に分離するための、基−Ａｒ−（ＣＨ２）ｎを介して結合しているシクロデキストリンを含み、ここでｎが０〜１５である、実施形態５に記載の分離装置。